(57)【要約】【課題】リチウムイオン電池の製造工程におけるセパレータの帯電を防止する。【解決手段】原反ロール２１に捲回され、互いに密着しているセパレータ部材２５をその原反ロール２１から引き出す際、セパレータ部材２５のうち原反ロール２１から巻き出される部位Ｂに、リチウムイオン二次電池に注入される電解液を含浸させて電解質を付与する。これにより、セパレータの製造工程においてセパレータ部材同士を剥離した際の剥離帯電現象による帯電を防止する。【選択図】図４
2019140016.tif 000002
【特許請求の範囲】
【請求項１】
セパレータを介して正極と負極とを積層もしくは巻回してなる積層体が電解質とともに外装体で封止されたリチウムイオン二次電池の製造方法であって、
前記セパレータに前記電解質を付与した後、前記積層もしくは巻回を行うことを特徴とするリチウムイオン二次電池の製造方法。
【請求項２】
原反ロールに捲回され、あるいは平面状に積層されて相互に密着した状態にあるセパレータ部材を該密着状態から剥離する際、該剥離される部位に、前記電解質を溶媒に溶解してなる電解液を噴霧することを特徴とする請求項１に記載のリチウムイオン二次電池の製造方法。
【請求項３】
前記剥離される部位は前記セパレータ部材の前記原反ロールからの巻出し部であることを特徴とする請求項２に記載のリチウムイオン二次電池の製造方法。
【請求項４】
原反ロールに捲回され、あるいは平面状に積層されて相互に密着した状態にあるセパレータ部材の一部を、前記電解質を溶媒に溶解してなる電解液に浸漬したまま、該電解液中において前記セパレータ部材を前記密着状態から剥離することを特徴とする請求項１に記載のリチウムイオン二次電池の製造方法。
【請求項５】
前記セパレータ部材の前記一部は、そのセパレータ部材の前記原反ロールからの巻出し部を含む該原反ロールの下方部分であることを特徴とする請求項４に記載のリチウムイオン二次電池の製造方法。
【請求項６】
原反ロールに捲回され、あるいは平面状に積層されて相互に密着した状態にあるセパレータ部材の全体を、前記電解質を溶媒に溶解してなる電解液中に浸漬したまま、該電解液中において前記セパレータ部材を前記密着状態から剥離することを特徴とする請求項１に記載のリチウムイオン二次電池の製造方法。
【請求項７】
前記セパレータ部材の前記全体は、そのセパレータ部材の前記原反ロールからの巻出し部を含む該原反ロールの全体であることを特徴とする請求項６に記載のリチウムイオン二次電池の製造方法。
【請求項８】
前記電解質を保持させて導電性を付与したゲル素材からなるゲルシートを前記セパレータの表面あるいは裏面、または表面と裏面の双方に貼り付けて前記セパレータに前記電解質を付与することを特徴とする請求項１に記載のリチウムイオン二次電池の製造方法。
【請求項９】
あらかじめ電解質が付与されたセパレータを介して正極と負極とを積層もしくは巻回してなる積層体を有することを特徴とするリチウムイオン二次電池。
【請求項１０】
セパレータであって、正極および負極と積層もしくは巻回される前にあらかじめ電解質が付与されていることを特徴とするリチウムイオン二次電池用のセパレータ。
【発明の詳細な説明】
【技術分野】
【０００１】
本発明は、正極と負極を電気的に分離するセパレータを有するリチウムイオン二次電池の製造方法に関する。
【背景技術】
【０００２】
リチウムイオン二次電池に用いられるセパレータ部材は、通常、原反ロールにロール状に捲回された状態で購入することができる。セパレーター部材は、リチウムイオン二次電池の製造工程において原反ロールから引き出され、所定長に切断され、電池内に組み込まれる。セパレータは絶縁性の高い材料からなるため、原反ロールから引き出した際、剥離帯電現象が起きて静電気が発生する。セパレータは静電気の帯電性が強いため、周囲の埃、塵等が付着しやすい。
【０００３】
例えば特許文献１は、一方向に搬送される電池用セパレータ等のフィルムに対してイオンを供給して除電した後、磁性異物を吸着して除去するフィルムの異物除去機構およびフィルム製造装置を開示している。特許文献１では、フィルムの帯電量に応じて、イオナイザから供給するイオン濃度を調整してフィルムに除電イオンを供給し、フィルムから静電気を除去している。
【０００４】
一方、静電気の発生防止に着目した場合、従来技術として、所定サイズに切断して電池内に組み込むセパレータの表面に導電性の高い部材（帯電防止剤）を塗布する技術も知られている。
【先行技術文献】
【特許文献】
【０００５】
【特許文献１】特開２０１７−１８９７３２号公報
【発明の概要】
【発明が解決しようとする課題】
【０００６】
フィルムの帯電防止に使用される除電器としてのイオナイザー等の除電装置は、フィルム上に発生した静電気を取り除く装置であるが、静電気を完全には除去できないため、リチウムイオン二次電池の製造工程において、除去しきれなかった残存静電気に引き付けられた塵等の異物が付着したセパレータが電池内に組み込まれるという問題がある。
【０００７】
セパレータに付着した異物は、リチウムイオン二次電池内においてセパレータを破損し、例えば正極活物質と負極活物質との間、正極活物質と負極集電箔との間、あるいは負極活物質と正極集電箔との間で内部短絡が生じる。その結果、短絡電流の集中によるジュール熱の発生によって電池の内部温度が上昇するという問題がある。さらには、温度上昇によってリチウムイオン二次電池の発火、発煙等が生じるという問題もある。
【０００８】
また、上述したように静電気の発生防止に着目して、セパレータ表面に導電性の高い部材（帯電防止剤）を塗布する技術は、塗布した高導電性部材が、セパレータの電解液保持機能のみならず、イオンを通過させる役割を担うセパレータの微多孔を塞ぐことになり、静電気対策がセパレータの性能低下を引き起こすことになる。
【０００９】
本発明は、上述した課題に鑑みてなされたものであり、その目的とするところは、リチウムイオン電池の製造工程においてセパレータに静電気が発生するのを抑止して、異物混入によるセルの内部短絡等を防止できるリチウムイオン電池の製造方法を提供することである。
【課題を解決するための手段】
【００１０】
上記の目的を達成し、上述した課題を解決する一手段として以下の構成を備える。すなわち本発明は、セパレータを介して正極と負極とを積層もしくは巻回してなる積層体が電解質とともに外装体で封止されたリチウムイオン二次電池の製造方法であって、前記セパレータに前記電解質を付与した後、前記積層もしくは巻回を行うことを特徴とする。
【００１１】
例えば、原反ロールに捲回され、あるいは平面状に積層されて相互に密着した状態にあるセパレータ部材を該密着状態から剥離する際、該剥離される部位に、前記電解質を溶媒に溶解してなる電解液を噴霧することを特徴とする。また、例えば、前記剥離される部位は前記セパレータ部材の前記原反ロールからの巻出し部であることを特徴とする。
【００１２】
例えば、原反ロールに捲回され、あるいは平面状に積層されて相互に密着した状態にあるセパレータ部材の一部を、前記電解質を溶媒に溶解してなる電解液に浸漬したまま、該電解液中において前記セパレータ部材を前記密着状態から剥離することを特徴とする。また、例えば、前記セパレータ部材の前記一部は、そのセパレータ部材の前記原反ロールからの巻出し部を含む該原反ロールの下方部分であることを特徴とする。
【００１３】
例えば、原反ロールに捲回され、あるいは平面状に積層されて相互に密着した状態にあるセパレータ部材の全体を、前記電解質を溶媒に溶解してなる電解液中に浸漬したまま、該電解液中において前記セパレータ部材を前記密着状態から剥離することを特徴とする。また、例えば、前記セパレータ部材の前記全体は、そのセパレータ部材の前記原反ロールからの巻出し部を含む該原反ロールの全体であることを特徴とする。
【００１４】
さらに例えば、前記電解質を保持させて導電性を付与したゲル素材からなるゲルシートを前記セパレータの表面あるいは裏面、または表面と裏面の双方に貼り付けて前記セパレータに前記電解質を付与することを特徴とする。
【発明の効果】
【００１５】
本発明によれば、積層前のセパレータにあらかじめ帯電防止処理を施すことによって、リチウムイオン電池内部への異物混入等を防止できる。
【図面の簡単な説明】
【００１６】
【図１】本発明のリチウムイオン二次電池の製造方法に係る製造装置の主要部を示すブロック図である。
【図２】本発明の実施形態に係るリチウムイオン二次電池に使用するセパレータの製造方法を時系列で示すフローチャートである。
【図３】原反ロールにロール状に巻き取られたセパレータ部材を、原反ロールから引き出して、切断等の加工を施す様子を示す図である。
【図４】実施例１に係るセパレータの帯電防止処理機構を模式的に示す図である。
【図５】実施例２に係るセパレータの帯電防止処理機構を模式的に示す図である。
【図６】実施例３に係るセパレータの帯電防止処理機構を模式的に示す図である。
【発明を実施するための形態】
【００１７】
以下、本発明の実施形態について添付図面を参照して詳細に説明する。図１は、本発明のリチウムイオン二次電池の製造方法を実施する製造装置の主要部を示すブロック図である。リチウムイオン二次電池は、電極板としての箔状の正極板（例えばアルミニウム箔からなり、正極シートともいう。）、および負極板（例えば銅箔からなり、負極シートともいう。）と、これら正極板と負極板との間に介挿されたセパレータとを有してなる電極積層体を備え、その電極積層体が電解液とともに外装体で封止された構成を有する。
【００１８】
図１のリチウムイオン二次電池の製造装置１０の積層部１７では、電池内に収容される電極積層体が形成される。具体的には、所定サイズに切断された正極板が正極板供給部１３より積層部１７に供給され、所定サイズに切断された負極板が負極板供給部１５より積層部１７に供給され、セパレータ供給部１１からは絶縁性素材からなるセパレータが積層部１７に供給される。そして、積層部１７において、セパレータを介して正極板と負極板とが交互に積層された電極積層体が形成される。セパレータ部材加工部１２は、セパレータ部材に対して後述する帯電処理を施した後、セパレータ部材を所定サイズに切断（加工）し、そのセパレータをセパレータ供給部１１に送り込む。
【００１９】
なお、セパレータ供給部１１、正極板供給部１３、および負極板供給部１５それぞれと、積層部１７との間には不図示の搬送装置が備えられ、それによりセパレータ、正極板、および負極板が、積層部１７の所定位置に搬送され、載置される。
【００２０】
本実施形態に係るリチウムイオン二次電池に使用するセパレータは、絶縁性を有するとともに、正極と負極間の短絡を防止する機能および電解液を保持する機能を有し、さらに、後述する帯電防止処理が施されている。セパレータは、平面視で略矩形状をなし、その厚さは、１〜７５μｍ程度であることが好ましい。具体的には１〜５０μｍ程度であることがより好ましく、これにより十分に絶縁性を確保できる。
【００２１】
また、セパレータは、リチウムイオンが透過でき、かつ、電解液に侵されない材質、例えば高分子の微多孔性膜（例えば、ＰＰ（ポリプロピレン）、ＰＥ（ポリエチレン）、ＰＯ（ポリオレフィン）等の薄膜樹脂フィルム）、不織布、ガラスファイバー等からなる。
【００２２】
正極板は、平面視で略矩形状をなしており、正極集電体の片面あるいは両面に塗布した正極活物質を有してなる。正極活物質として、例えば、コバルト酸リチウム（ＬｉＣｏＯ２）、ニッケル酸リチウム（ＬｉＮｉＯ２）、マンガン酸リチウム（ＬｉＭｎ２Ｏ４）、オリビン型リン酸鉄リチウム（ＬｉＦｅＰＯ４）等の遷移金属酸化物がある。
【００２３】
同様に負極板も、平面視で略矩形状をなし、負極集電体の片面または両面に塗布した負極活物質を含んでなる。負極は、リチウムイオンを可逆的に導入および放出可能な負極活物質を有する。負極活物質として、例えば金属リチウム、リチウム合金、リチウムを吸蔵、放出し得る炭素系材料、金属酸化物等を挙げることができる。
【００２４】
積層部１７で形成された電極積層体は、組立部１９において、アルミニウム材料、ポリマーフィルム等のシート状部材からなる外装体（ケース）の中に組み込まれた後、その外装体の注入口から外装体内に電解液が注入される。その後、注入口を封口することで、電極積層体を電解液とともに外装体内に封止する。
【００２５】
上記の工程により、平面視したときの形状が長方形で、厚さが例えば１〜１０ｍｍ程度のシート積層型リチウムイオン二次電池（フィルム型リチウムイオン単電池）が製造される。リチウムイオン二次電池の充放電時には、この電解液中をイオンが伝導する。
【００２６】
次に、本実施形態に係るリチウムイオン二次電池を構成するセパレータの製造方法について詳細に説明する。図２は、本実施形態に係るリチウムイオン二次電池に使用するセパレータの製造方法を時系列で示すフローチャートである。
【００２７】
本実施形態に係るリチウムイオン二次電池のセパレータに使用するセパレータ部材は、例えば図３に示すように長尺のセパレータ部材２５が芯材の周囲にロール状に巻き取られた原反ロール２１の形態を有する。そして、支軸２４が水平となるように固定された原反ロール２１から引き出されたセパレータ部材に切断等の加工を施して、所定サイズのセパレータが形成される。
【００２８】
図２のステップＳ１１では、原反ロール２１に巻き取られた長尺のセパレータ部材２５を引き出す。セパレータ部材２５は絶縁体であり、電荷を帯びやすい高分子材料からなる。そのため、長尺シート状のセパレータ部材２５を原反ロール２１から引き出す際、互いに密着していた部位（図３の符号Ａで示す巻出し部）が剥離されることによる剥離帯電現象によって、セパレータ部材が静電気を帯びる。よって、何らかの帯電防止処理あるいは除電処理を行わなければ、セパレータ部材を切断等して形成されたセパレータにおいても静電気が蓄積した帯電状態が維持される。
【００２９】
そこで、本実施形態に係るリチウムイオン二次電池に使用するセパレータは、図２のステップＳ１３において、原反ロールから引き出されたセパレータ部材に対して、電解液の含浸等により電解質を付与する帯電防止処理を施す。そして、続くステップＳ１５で、帯電防止処理が施されたセパレータ部材を、カッター、ワインダー等からなる図３の加工部２３によって所定サイズに切断する等の加工をする。これにより、所定サイズのシート状のセパレータ２７を作製する。
【００３０】
ステップＳ１７では、所定サイズに切断等されたセパレータを、図３の積層部１７に供給する。上述したように積層部１７では、所定サイズのセパレータを介して、正極板と負極板とを交互に積層して電極積層体が形成される。
【００３１】
次に、本実施形態に係るリチウムイオン二次電池に使用するセパレータにおける帯電防止処理について、実施例に基づいて具体的に説明する。
【００３２】
＜実施例１＞
図４は、実施例１に係るセパレータの帯電防止処理方法を模式的に示す帯電防止処理機構である。図４の帯電防止処理機構３０において符号Ｂで示す部位は、支軸２４が水平となるように固定された原反ロール２１からセパレータ部材２５が引き出される直前まで、セパレータ部材が互いに密着していた巻出し部である。そのため、帯電防止処理が施されていない場合、セパレータ部材同士を剥離した際の剥離帯電現象により静電気が発生して、セパレータ部材２５が帯電することになる。
【００３３】
そこで、実施例１に係る帯電防止処理機構３０では、帯電防止処理として、長尺シート状のセパレータ部材２５のうち、原反ロール２１から引き出された巻出し部Ｂに対して電解液を噴霧する構成を有する。
【００３４】
具体的には、帯電防止処理機構３０において、あらかじめ貯留槽３１に貯留された電解液３５が、セパレータ部材２５が原反ロール２１から剥離される巻出し部Ｂの近傍に配置したノズル３３に供給される。
【００３５】
ノズル３３からは、原反ロール２１よりセパレータ部材２５が剥離されるタイミングに合わせて（例えば、剥離と同時、あるいは剥離の直前）、セパレータ部材２５の巻出し部Ｂの上面部に向けて電解液３５が噴霧される。このとき電解液３５は、セパレータ部材２５の長さ方向と幅方向の所定範囲に一様に広がるようにノズル３３より出射される。
【００３６】
実施例１に係る帯電防止処理機構３０において噴霧される電解液３５は、例えば、上述したリチウムイオン二次電池の外装体内に注入した電解液と同一の電解液であり、リチウムイオン二次電池に使用した電解質と同じ電解質を溶媒に溶解してなる液体である。
【００３７】
すなわち、帯電防止処理に使用する電解液の電解質としては、高いイオン電導性を有する、例えば、六フッ化リン酸リチウム、過塩素酸リチウム、四フッ化ホウ酸リチウムのようなリチウム塩等を好適に使用することができる。電解液中の電解質の濃度は、特に限定されないが、０．０１〜１Ｍ程度であることが好ましい。
【００３８】
また、電解液溶媒には、水分を実質的に含まない（例えば、１００ｐｐｍ未満）非水系溶媒が好適に用いられる。非水系溶媒としては、例えば、プロピレンカーボネート、エチレンカーボネート、ジエチルカーボネート、ジメチルカーボネート、メチルエチルカーボネート、ジメトキシエタン、γ−ブチロラクトン、酢酸メチル、蟻酸メチル、トルエン、ヘキサン等が挙げられ、これらのうちの１種を単独でまたは２種以上を組み合わせて用いることができる。
【００３９】
このように、実施例１に係る帯電防止処理機構３０では、原反ロールから引き出された長尺セパレータ部材をシート状の所定サイズのセパレータに切断等する前段階であって、原反ロールから長尺のセパレータ部材が剥離される直前に、そのセパレータ部材が剥離される部位（巻出し部Ｂ）に、高い電気伝導率を示す電解質からなる高導電性の電解液を噴霧する。
【００４０】
こうすることで、噴霧した電解液が高導電性を有するので、原反ロールから長尺シート状のセパレータ部材が引き出される際にそのセパレータ部材が帯電するのを防止できる。よって、リチウムイオン二次電池に組み込まれるセパレータが無帯電状態に維持され、セパレータに周囲の埃や塵が付着することがないので、セパレータの欠陥による内部短絡を防ぐことができる。
【００４１】
なお、図３に示す例では、原反ロール２１からセパレータ部材２５が剥離される巻出し部Ｂの上面部に向けて電解液を噴霧しているが、噴霧形態はこれに限定されない。例えば、セパレータ部材２５を挟んでノズル３３と対になる位置にもう一つノズルを配置し、これら２つのノズルからセパレータ部材２５の巻出し部Ｂの上面部と下面部とに向けて電解液を同時に噴霧するようにしてもよい。
【００４２】
＜実施例２＞
図５は、実施例２に係る帯電防止処理機構を模式的に示している。図５に示す帯電防止処理機構４０は、支軸２４が水平となるように固定された原反ロール２１のうち、長尺シート状のセパレータ部材２５が引き出される部位（巻出し部Ｃ１）を含む原反ロール２１の下方部分Ｃ２全体を、貯留槽４１に貯留した電解液３５に浸けた構成を有する。
【００４３】
セパレータ部材２５は、原反ロール２１から引き出される直前までセパレータ部材同士が互いに密着しているが、上記のように原反ロール２１の下方部分Ｃ２全体が電解液３５に浸されている。そのため、セパレータ部材２５は、高い電気伝導率を示す電解質からなる高導電性の電解液３５に浸漬された状態で原反ロール２１から引き出される。
【００４４】
すなわち、原反ロール２１から引き出されたセパレータ部材２５は電解液３５のみと接触し、空気から遮断されて電解液中でセパレータ部材同士が剥離される。そのため剥離時に静電気が発生せず、セパレータ部材２５には、引き出された段階で電解液が含浸されている。したがって、電解液が含浸されたセパレータ部材を、その後、所定サイズに切断等して得られたシート状のセパレータにおいても帯電を防止することができる。
【００４５】
＜実施例３＞
図６は、実施例３に係る帯電防止処理機構を示す模式図である。図５に示す帯電防止処理機構５０は、支軸２４が水平となるように固定された原反ロール２１の全体が、貯留槽５１に貯留した電解液３５に浸された構成を有する。すなわち、帯電防止処理機構５０では、原反ロール２１よりセパレータ部材２５を引き出すまでセパレータ部材同士が互いに密着している部位（図６に示す巻出し部Ｄ）を含む原反ロール２１全体が、高導電性を有する電解液３５に浸漬されている。
【００４６】
このように、長尺シート状のセパレータ部材２５の巻出し部Ｄを含む原反ロール２１全体が、高い電気伝導率を示す電解質からなる電解液３５中に浸されていることから、上記実施例２と同様、引き出されたセパレータ部材２５は電解液のみと接触し、空気から遮断される。
【００４７】
その結果、原反ロール２１からセパレータ部材２５を引き出す際、電解液中でセパレータ部材同士が剥離されることになるので、その剥離の際に静電気が発生せず、加えて、電解液が含浸されたセパレータ部材を所定サイズに切断したシート状のセパレータも帯電することがない。
【００４８】
＜実施例４＞
リチウムイオン二次電池用のセパレータ部材に導電性を付与して、静電気の発生を抑制するという目的を達成するため、実施例４では、装置構成の図示を省略するが、例えばアクリル系あるいはウレタン系のゲル素材を使用し、電解質等を保持させて導電性を付与したゲルシートを、セパレータ基材の表面と裏面の双方、あるいは表面と裏面のいずれかに貼り付けたセパレータを、正極板および負極板とともに積層して積層体を形成する。
【００４９】
実施例４に係るセパレータは、以下のようにして作製する。例えば、あらかじめ導電性を付与した長尺状のゲルシートを２セット用意し、一方のセットのゲルシートを長尺状セパレータ部材の表面全体に貼付し、他方のセットのゲルシートを長尺状セパレータ部材の裏面全体に貼付する。そして、ゲルシートを貼り付けたセパレータ部材を切断等して、所定サイズのセパレータを形成する。
【００５０】
実施例４では、導電性を付与したゲルシートが表裏両面に貼付されたセパレータ部材を所定サイズに切断して、リチウムイオン二次電池の電極積層体を構成するセパレータとして使用する。したがって、セパレータでの静電気の帯電を回避でき、塵等の異物が付着したセパレータが電池内に組み込まれるのを防ぐことができる。
【００５１】
なお、上記実施形態に係るリチウムイオン二次電池は、上述したフィルム型に限定されず、例えば円筒型、角型、コイン型等のリチウムイオン二次電池であってもよい。円筒型電池の場合、セパレータを介して重ね合わせた正極シートと負極シートを積層した積層体を負極が外側となるように巻回して外装缶の中に収納した構成となっている。
【００５２】
また、上記実施形態では、セパレータ部材が原反ロールに捲回された形態を例示したが、例えば長尺のセパレータ部材同士が平面的に積層された形態であっても、個々のセパレータ部材を剥離する際に静電気を帯びることが想定される。そのため、上記実施形態のセパレータ部材には、平面状に積層されたセパレータ部材を含めることができる。
【００５３】
以上説明したように、セパレータの製造工程において、原反ロールに捲回され互いに密着しているセパレータ部材を原反ロールから引き出す際、そのセパレータ部材のうち原反ロールから引き出される部位である巻出し部に対して、リチウムイオン二次電池に注入される電解液を含浸させて電解質を付与する。
【００５４】
こうすることで、セパレータ部材同士が剥離された際の剥離帯電現象によってセパレータ部材が静電気を帯びるのを回避できる。よって、セパレータの製造時に静電気により塵等の異物がセパレータに引き付けられることがなく、異物が付着したセパレータが電池内に組み込まれることによるリチウムイオン二次電池での内部短絡等の不具合、故障等を防止できる。
【００５５】
また、あらかじめセパレータに含侵させる電解液として、リチウムイオン二次電池に注入する電解液中の電解質と同一の電解質を溶媒に溶解した電解液を使用するので、帯電防止処理に用いた電解液によって、リチウムイオン二次電池においてイオンを通過させる役割を担うセパレータの微多孔が塞がれることはなく、セパレータの性能低下が引き起こされることもない。
【００５６】
さらに、あらかじめ電解液が含浸されたセパレータを、正極板および負極板とともに積層して電極積層体を構成することで、電極積層体をリチウムイオン二次電池の外装体内に組み込んだ後、リチウムイオン二次電池内に注入された電解液をセパレータに含浸させる場合と比較して、セパレータへの電解液の含浸がより促進される。その結果、リチウムイオン電池の生産性が向上し、歩留も改善される。
【符号の説明】
【００５７】
１０  リチウムイオン二次電池の製造装置
１１  セパレータ供給部
１２  セパレータ部材加工部
１３  正極板供給部
１５  負極板供給部
１７  積層部
１９  組立部
２１  原反ロール
２３  加工部
２４  支軸
２５  セパレータ部材
２７  セパレータ
３０，４０，５０  帯電防止処理機構
３３  ノズル
３５  電解液
４１，５１  貯留槽
【図１】
2019140016.tif 000003
【図２】
2019140016.tif 000004
【図３】
2019140016.tif 000005
【図４】
2019140016.tif 000006
【図５】
2019140016.tif 000007
【図６】
2019140016.tif 000008